(57)【特許請求の範囲】
【請求項１】
本文データと該本文データに関連する画像データとが記録データとして記憶された記録媒体から上記記録データを再生する再生手段と、
再生された上記記録データを表示する表示手段と、
該表示手段の少なくとも複数画面に表示されるデータ量が記憶される記憶手段と、
上記再生された本文データに関連する画像データがあるか否かを検出する検出手段と、
ユーザーから所定の上記本文データを検索するための操作が入力される操作手段と、
画像のみを表示する画像検索で該当する画像に、該画像の説明を文章でするのか音声でするのかを選択させる選択肢を表示する表示制御手段と、
該操作手段から入力される上記本文データの検索をするための操作に基づいて上記記録媒体から所定の本文データを検索するとともに検索された本文データを上記記憶手段に記憶されるように制御し、上記記憶手段に記憶された本文データに関連する画像データがあることを上記検出手段が検出した場合には、上記本文データに関連する画像データを上記再生手段が再生するように制御し、再生された上記画像データを上記記憶手段に記憶された上記本文データの所定位置に挿入した後、上記所定位置以降の本文データを上記挿入された画像データに続けて上記記憶手段に上記記憶手段の記憶容量の範囲で記憶されるように制御し、画像検索において該当する画像に対応する上記本文データを上記記憶手段から削除するように制御し、画像検索で該当する上記画像と共に上記表示手段に表示された上記画像を文章での説明を選択する選択肢が選択されたとき、上記記憶手段に記憶されている上記画像データの後に上記本文データを挿入するように制御し、画像検索で該当する上記画像と共に上記表示手段に表示された上記画像を音声での説明を選択する選択肢が選択されたときは、音声で説明するように制御する制御手段と
を備える情報再生表示装置。
【請求項２】
本文データと該本文データに関連する画像データとが記録データとして記憶された記録媒体から上記本文データを入力される検索条件に基づいて検索して検索されたデータを表示手段に表示する検索表示方法において、
ユーザーが操作する操作手段から上記本文データを検索するための検索条件の入力を読み込むステップと、
該読み込まれた検索条件に基づいて上記記録媒体から所定の本文データを検索するステップと、
該検索された本文データを上記表示手段に表示するための上記表示手段の表示領域よりも大きな記憶領域を備える表示メモリに記憶するステップと、
上記検索された本文データに上記本文データに関連する画像データがあると判断される場合には、上記記録媒体から上記本文データに関連する画像データを読み出すステップと、
該読み出された画像データを上記表示メモリに記憶された上記本文データの所定の位置に挿入するステップと、
上記挿入された画像データに続けて上記本文データを上記表示メモリに記憶させるステップと、
画像のみを表示する画像検索において該当する画像に対応する上記本文データを上記記憶手段から削除するステップと、
画像検索で該当する画像に、上記画像の説明を文章でするのか音声でするのかを選択させる選択肢を表示するステップと
画像検索で該当する上記画像と共に上記表示手段に表示された上記画像を文章での説明を選択する選択肢が選択されたとき、上記記憶手段に記憶されている上記画像データの後に上記本文データを挿入するステップと、
画像検索で該当する上記画像と共に上記表示手段に表示された上記画像を音声での説明を選択する選択肢が選択されたときは音声で説明するステップと
を備える検索表示方法。
【発明の詳細な説明】
【０００１】
【産業上の利用分野】
本発明は辞書、百科事典のデジタルデータをコンパクトディスクフォーマットに準拠して記録したＣＤ−ＲＯＭディスクを再生する情報再生表示装置及び検索表示方法に関する。
【０００２】
【従来の技術】
従来、コンパクトディスクフォーマットに準拠して、辞書、百科事典等の出版物を、デジタルデータとして光学的にディスクに記録したいわゆるＣＤ−ＲＯＭディスクが知られている。無論ＣＤ−ＲＯＭディスクに記録可能な情報はこの限りではないが、１枚のディスクに記録可能な総頁数が膨大であること、光学式ディスクであるためランダムアクセスが容易であること、非接触再生であるため寿命が半永久的であること等の理由から、出版物の内容を全てＣＤ−ＲＯＭディスクに記録しておき、ユーザがＣＤ−ＲＯＭディスクを再生可能なＣＤ−ＲＯＭ再生装置を用いて、その内容を適宜再生する用途が広まりつつある。
【０００３】
またＣＤ−ＲＯＭディスクの物理的特性（サイズ、光学的特性、トラックピッチ、変調方法等）はコンパクトディスクフォーマットに準拠しているので、ＣＤ−ＲＯＭ再生装置の機構は従来のコンパクトディスクプレーヤと兼用することができ、一部専用のデータデコーダを加える程度で、容易にＣＤ−ＲＯＭディスクとコンパクトディスクとの兼用プレーヤを提供することが出来る。
【０００４】
図６は、かかるＣＤ−ＲＯＭ再生装置の一例を示すブロック図であり、光ディスクドライブ１は周知のコンパクトディスクプレーヤと同様に、ディスクに記録されている信号を読み取り、読み取られた信号をデータ処理部２に供給する。データ処理部２はＣＤ−ＲＯＭディスクのデータを復調するものであって、復調されたデータがＩ／Ｏインターフェイス３に供給される。Ｉ／Ｏインターフェイス３には入力キーボード７からの操作指令信号が供給され、これらデータ、操作指令信号はＩ／Ｏインターフェイス３を介してＣＰＵ４に供給される。
【０００５】
ＣＰＵ４は、ＲＯＭ５に格納されたプログラムに基づいて装置全体の動作を制御するもので、ＣＰＵ４にはさらにオペランドを格納するためのＲＡＭ６が接続されている。またＣＰＵ４はディスクドライブ１に対して、サーチ、停止等の動作指令を与えるための制御線が接続されている。
【０００６】
Ｉ／Ｏインターフェイス３の出力信号により、ＬＣＤ、ＣＲＴディスプレイ等の表示装置１０にグラフィックスビデオデータを表示させると共にこれを制御するための表示コントローラ８を設ける。この表示コントローラ８には表示すべきビデオデータを格納しておくＶＲＡＭ９が接続されている。
上述の各回路に必要な電力は電源回路１１から供給されている。
【０００７】
以上の構成によるＣＤ−ＲＯＭ再生装置の一般的動作について説明する。まず、電源オンの状態になると、ＣＰＵ４はＲＯＭ５に格納されたプログラムに従って所定の初期処理をなし、表示装置１０に適当なメニュー画面が表示されるように表示コントローラ８を制御する。
【０００８】
次に、入力キーボード７からユーザによって任意の操作指令が与えられると、ＣＰＵ４はＲＯＭ５に格納されたプログラムに従って、例えばディスクドライブ１に対してサーチ指令を与え、ＣＤ−ＲＯＭディスクから所望のデータを読み出す。読み出されたデータはＲＡＭ６に一旦記憶され、ＣＰＵ４がＲＯＭ５のプログラムに従って必要なデータを表示コントローラ８に供給する。表示コントローラ８は表示すべきデータをＶＲＡＭ９に記憶させた後、表示装置１０に表示する。表示装置１０に表示されたデータは、表示コントローラ８の制御のもとに、頁の送り戻し、スクロール、縮小、拡大、移動等が行なわれる。
【０００９】
【発明が解決しようとする課題】
斯るＣＤ−ＲＯＭディスクによる例えば百科事典においては、本文データの他に画像データ音声データ等が含まれている。
【００１０】
従来、本文データ中に画像項目がありこの画像データを見たいときにはキーボード７により画像項目を選択実行して、表示装置１０に、この画像項目に対応する画像データの再生画像を得る様にしていた。
【００１１】
従って従来は本文データ中に画像項目があり、この画像項目に対応する画像データの表示画面を得るためには時間と手間とがかかる不都合があった。
【００１２】
本発明は斯る点に鑑み、本文データ中に画像項目があるときには、これを自動的に見ることができるようにすると共に更に使い勝手が向上するようにすることを目的とする。
【００１３】
【課題を解決するための手段】
本発明情報再生表示装置は例えば図１、図２及び図６に示す如く、本文データとこの本文データに関連する画像データとが記録データとして記憶された記録媒体からこの記録データを再生する再生手段１，２と、再生されたこの記録データを表示する表示手段１０と、この表示手段１０の少なくとも複数画面に表示されるデータ量が記憶される記憶手段９と、この再生された本文データに関連する画像データがあるか否かを検出する検出手段４と、ユーザーから所定のこの本文データの検索するための操作が入力される操作手段７と、画像のみを表示する画像検索で該当する画像に、この画像の説明を文章でするのか音声でするのかを選択させる選択肢を表示する表示制御手段８と、この操作手段７から入力されるこの本文データの検索するための操作に基づいてこの記録媒体から所定の本文データを検索するとともに検索された本文データをこの記憶手段９に記憶されるように制御し、この記憶手段９に記憶された本文データに関連する画像データがあることをこの検出手段４が検出した場合には、この本文データに関連する画像データをこの再生手段１，２が再生するように制御し、再生された画像データをこの記憶手段９に記憶されたこの本文データの所定位置に挿入した後、この所定位置以降の本文データをこの挿入された画像データに続けてこの記憶手段９にこの記憶手段９の記憶容量の範囲で記憶されるように制御し、画像検索において該当する画像に対応するこの本文データをこの記憶手段９から削除するように制御し、画像検索で該当するこの画像と共にこの表示手段１０に表示されたこの画像を文章での説明を選択する選択肢が選択されたとき、この記憶手段９に記憶されているこの画像データの後にこの本文データを挿入するように制御し、画像検索で該当するこの画像と共にこの表示手段１０に表示されたこの画像を音声での説明を選択する選択肢が選択されたときは、音声で説明するように制御する制御手段４とを備える情報再生表示装置である。
【００１４】
また本発明ＣＤ−ＲＯＭ再生装置は例えば図３、図４、図５及び図６に示す如く、キーボード入力部７と、ＣＤ−ＲＯＭ再生部１，２と、表示部１０と、制御部４とを備えたＣＤ−ＲＯＭ再生装置において、このキーボード入力部７から入力された検索条件に従って制御部４の制御により検索動作を行い、その結果このＣＤ−ＲＯＭ再生部１，２より得られた複数の本文データ中に画像項目が含まれている場合には、自動的に、得られた本文データに含まれる全ての画像項目の画像データを本文データ中の見出し語と共に連続的にこの表示部１０に設けた表示用ＲＡＭ９に書き込む様にしたものである。
【００１５】
【作用】
本発明によれば検索操作を行ったときに、本文データ中に画像データがあるときには、自動的にその画像データを記憶手段９に記憶された本文データ中の所定位置に記憶するので、画像データがあるときには、自動的に表示手段１０により本文データと共に画像データを見ることができる。また画像検索時にこの画像データがこの表示手段１０に表示されたときにこの画像データの説明を文章でするのか音声でするのかを選択できる。
【００１６】
また本発明によれば複数の本文データ中に画像項目が含まれている場合に、自動的に得られた本文データに含まれる全ての画像項目の画像データを本文データ中の見出し語と共に連続的に表示用ＲＡＭ９に書き込むので、この表示用ＲＡＭ９よりのデータを表示装置１０に表示することにより、画像が連続的に表示され、画像をもとに検索することができる。
【００１７】
【実施例】
以下図面を参照して本発明情報再生表示装置及び検索表示方法の実施例につき説明しよう。
本例のＣＤ−ＲＯＭ再生装置即ち情報再生表示装置に用いられる構成は基本的には図６に示すＣＤ−ＲＯＭ再生装置と同様である。しかしながら本例においては制御部としてのＣＰＵ４が実行するプログラムに図１及び図３に示す如き制御動作を付加したものである。
【００１８】
以下、本例のＣＤ−ＲＯＭ再生装置において、ＣＰＵ４が行なう制御動作を図１及び図３のフローチャートを用いて説明する。
【００１９】
本例においては例えば百科事典のＣＤ−ＲＯＭディスクを検索再生するときに入力キーボード７で検索語例えば「門類」を入力する（ステップＳ1 ）。このときは表示装置１０に該当項目一覧表示がなされる（ステップＳ2 ）。
【００２０】
次にこの該当項目一覧表示のある項目例えば「ａｒｃｈ」を選択して、これを検索する（ステップＳ3 ）。このときは表示用のＲＡＭであるＶＲＡＭ９には模型的に図２Ａに示す如く書き込まれる。
【００２１】
次にこの選択した項目の本文データ中に画像項目があるかどうかを判断し（ステップＳ4 ）、画像項目があるときには、その画像データをこのＣＤ−ＲＯＭディスクより検索再生し、図２Ｂに示す如くＶＲＡＭ９において見出し語例えば「ａｒｃｈ」の後にこのＣＤ−ＲＯＭディスクより再生した画像データを書き込み、その後にその文章データをつなげる如くする（ステップＳ5 ）。
【００２２】
ステップＳ4 において、画像項目がないときには何等画像データはＶＲＡＭ９に書き込まない。上述を表示用のＶＲＡＭ９がいっぱいになるまで繰り返し、このＶＲＡＭ９がいっぱいとなったと判断（ステップＳ6 ）されたときに、このＶＲＡＭ９の記憶内容を表示コントローラ８の制御により表示装置１０に表示する（ステップＳ7 ）。
【００２３】
この場合の初め表示画面は図２Ｃに示す如く、検索語を頭に表示される。そのスクロールすることにより図２Ｄに示す如くＶＲＡＭ９に書き込んだ内容を順次見ることができる。
【００２４】
この場合のスクロールは１ドットごとスクロールさせる如くし、文字が切れる位置ではスクロールが止まらないようにする。
【００２５】
従って上述においては本文データ中に画像項目があるときには、自動的にその画像データを本文データの見出し語の後にＶＲＡＭ９に書き込むので画像項目があるときには自動的に表示装置１０により本文データと共に画像データを見ることができる利益がある。従って斯る本例によれば表示装置１０で見ているときに文章のあい間に、さし絵が出てくることになり無機的な感じをやわらげることができる利益がある。
【００２６】
次に本例により例えば百科事典を画像検索する場合につき図３のフローチャートを参照して説明する。
この場合は入力キーボード７により画像検索を選択を行い（ステップＳ8 ）、その後この入力キーボード７によりある条件例えば「鳥類」「門類」等を入力する（ステップＳ9 ）。
【００２７】
このときは表示装置１０に該当項目一覧が表示される（ステップＳ10）。この該当項目一覧よりある項目例えば「にわとり」「ａｒｃｈ」等を選択する（ステップＳ11）。この選択は複数であっても良いことは勿論である。
【００２８】
次にステップＳ12に移行し、この選択された項目の本文データ中の画像項目に対応する画像データを検索再生（ステップＳ12）、この検索再生した画像データを図４Ａに示す如くＶＲＡＭ９の見出し語例えば「ａｒｃｈ」の次にこの画像データを書き込み、この後図４Ｂに示す如くこのＶＲＡＭ９のこの後にある文章データを削除する如くする（ステップＳ13）。
【００２９】
その後次の選択した項目があるかどうかを判断し（ステップＳ14）、次の選択した項目があるときには、上述を繰り返し、ＶＲＡＭ９には図４Ｃに示す如く、見出し語と画像データとより成るデータが順次つらなったものとなる。
【００３０】
このステップＳ14により次の選択した項目がなくなったときには、このＶＲＡＭ９に記憶した内容を表示コントローラ８の制御により表示装置１０に表示する如くする（ステップＳ15）。この場合の表示画面は図５Ａに示す如くスクロールさせることにより画像データによる画像のみがつながって出てくるものとなり、この画像により検索することができることとなり、使い勝手が良くなる利益がある。
【００３１】
また本例においては、この画像検索により、検索したときに、図５Ｂに示す如く、表示画面の画像がコマ切れでない所で、その説明を文章と音声とのどちらで行うかを選択できる如く「文章」及び「音声」が表示される（ステップＳ16）。
【００３２】
次にカーソルにより「文章」を選択した（ステップＳ17）ときには、図５Ｃに示す如く前に削除した文章データの表示をこの検索された画像の後に挿入する如くする（ステップＳ18）。次に、絵だけの元のモードへ戻るのを選択するかどうかが判断され（ステップＳ19）、元のモードへ戻らないときには、この検索された画像の後にその説明の文章が入った表示画像が表示装置１０に表示される。
【００３３】
またステップＳ19で絵だけの元のモードへ戻るのを選択したときにはＶＲＡＭ９に挿入した文章データを削除して、その分詰めて（ステップＳ20）、表示装置１０に表示する如くする。
【００３４】
またステップＳ17で「文章」を選択せずに「音声」を選択した（ステップＳ21）ときには、表示装置１０の表示画像はそのままで例えば音による説明、発音、鳴き声等が出る如くなされる。ステップＳ17，Ｓ21により「文章」も「音声」も選択されないときはステップＳ15の画像表示が表示装置１０により表示される。その他は従来と同様に動作する如くする。
【００３５】
尚、本発明は上述実施例に限ることなく本発明の要旨を逸脱することなく、その他種々の構成が採り得ることは勿論である。
【００３６】
【発明の効果】
本発明によれば本文データ中に画像項目があるときには、自動的にその画像データを本文データ中の見出し語と共に表示用ＲＡＭ９に書き込むので、画像項目があるときには、自動的に表示装置１０により本文データと画像データを見ることができる利益がある。
【００３７】
また本発明によれば画像検索時にこの画像データが表示手段１０に表示されたとき表示画像の説明を文章でするのか音声でするのかを選択することができ使い勝手が良くなる利益がある。
【図面の簡単な説明】
【図１】  ＣＤ−ＲＯＭ再生装置の例の説明に供する線図である。
【図２】図１の説明に供する線図である。
【図３】本発明ＣＤ−ＲＯＭ再生装置の実施例の説明に供する線図である。
【図４】図３の説明に供する線図である。
【図５】図３の説明に供する線図である。
【図６】ＣＤ−ＲＯＭ再生装置の例を示すブロック図である。
【符号の説明】
１  光ディスクドライブ
２  データ処理部
３  Ｉ／Ｏインターフェイス
４  ＣＰＵ
７  入力キーボード
８  表示コントローラ
９  ＶＲＡＭ
１０  表示装置
【図１】
0003640398.tif 000002
【図２】
0003640398.tif 000003
【図３】
0003640398.tif 000004
【図４】
0003640398.tif 000005
【図５】
0003640398.tif 000006
【図６】
0003640398.tif 000007